(57)【要約】【課題】従来の予定管理装置では、現在の時刻に、どのような予定が入っているかということ等が瞬時に確認できない、という課題があった。【解決手段】時間を指定する情報である時間情報を含む予定に関する情報である予定情報が格納され得る予定情報格納部１１と、現在の時刻を示す情報である現在時刻情報を取得する現在時刻情報取得部１２と、前記予定情報を出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力部１３と、を具備する。【選択図】図１
2007156830.tif 000002
【特許請求の範囲】
【請求項１】
時間を指定する情報である時間情報を含む情報であり、予定に関する情報である予定情報が格納され得る予定情報格納部と、
現在の時刻を示す情報である現在時刻情報を取得する現在時刻情報取得部と、
前記予定情報を出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力部と、を具備する予定管理装置。
【請求項２】
前記予定情報に関する情報の入力を受け付ける入力受付部と、
前記入力受付部の受け付けた情報に基づいて、前記予定情報格納部に格納されている予定情報の変更を行なう予定情報変更部とをさらに具備する請求項１記載の予定管理装置。
【請求項３】
前記予定情報格納部は、時間情報が指定する時間帯の少なくとも一部が重なり合う複数の予定情報を格納しており、
前記出力部は、前記重なり合う時間帯に対応した重複予定情報を、前記時間情報に基づいて、時間軸に沿って配置して出力する請求項１または請求項２いずれか記載の予定管理装置。
【請求項４】
前記出力部が出力する予定出力情報を指定する指示である予定指定指示を受け付ける予定指定指示受付部をさらに備え、
前記出力部は、前記予定指定指示が指定する予定出力情報に対応する予定情報の少なくとも一部を、前記予定指定指示が指定する予定出力情報に隣接した領域に出力する請求項１から請求項３いずれか記載の予定管理装置。
【請求項５】
前記出力部が出力する予定出力情報を指定する指示である予定指定指示を受け付ける予定指定指示受付部をさらに備え、
前記予定情報は、他の情報の存在場所を示す情報である存在場所情報を有し、
前記出力部は、前記予定指定指示が指定する予定出力情報に隣接した領域に、前記予定指定指示が指定する予定出力情報に対応する予定情報が有する存在場所情報に対応した存在場所出力情報を出力し、
前記出力部が出力した前記存在場所出力情報に対する指定を受け付ける存在場所出力情報指定受付部と、
前記指定を受け付けた存在場所出力情報に対応する存在場所情報に基づいて他の情報を取得する命令を出力する命令出力部とを、さらに備えた請求項１から請求項３いずれか記載の予定管理装置。
【請求項６】
サーバ装置とクライアント装置とを具備する予定管理システムであって、
前記サーバ装置は、
時間を指定する情報である時間情報を含む情報であって、予定に関する情報である予定情報が格納され得る予定情報格納部と、
前記予定情報を送信する第一予定情報送信部とを具備し、
前記クライアント装置は、
前記予定情報を受信する第二予定情報受信部と、
現在の時刻を示す情報である現在時刻情報を取得する現在時刻情報取得部と、
前記予定情報を出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力部と、を具備する予定管理システム。
【請求項７】
前記クライアント装置は、
前記予定情報の入力を受け付ける入力受付部と、
前記入力受付部が受け付けた予定情報を送信する第二予定情報送信部とをさらに具備し、
前記サーバ装置は、
予定情報を受信する第一予定情報受信部と、
前記第一予定情報受信部の受信した予定情報を、前記予定情報格納部に蓄積する予定情報蓄積部とをさらに具備する請求項６記載の予定管理システム。
【請求項８】
請求項６または請求項７のいずれか記載の予定管理システムを構成するサーバ装置。
【請求項９】
請求項６または請求項７のいずれか記載の予定管理システムを構成するクライアント装置。
【請求項１０】
コンピュータに、
現在の時刻を示す情報である現在時刻情報を取得する現在時刻情報取得ステップと、
格納されている時間を指定する情報である時間情報を含む情報であって、予定に関する情報である予定情報を、出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力ステップと、を実行させるためのプログラム。
【請求項１１】
コンピュータに、
時間を指定する情報である時間情報を含む予定に関する情報である予定情報を受信する第二予定情報受信ステップと、
現在の時刻を示す情報である現在時刻情報を取得する現在時刻情報取得ステップと、
前記予定情報を出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力ステップと、を実行させるためのプログラム。
【発明の詳細な説明】
【技術分野】
【０００１】
本発明は、予定等を管理するための予定管理装置等に関するものである。
【背景技術】
【０００２】
従来の予定管理装置等として、個人やグループのスケジュールを管理するスケジュール管理装置があった。（例えば、特許文献１参照）。
【０００３】
このようなスケジュール管理装置においては、個人やグループのスケジュールを、画像として出力できるようにすることで、スケジュールを管理することを可能としている。
【特許文献１】特開２０００−９０１６５号公報（第１頁、第１図等）
【発明の開示】
【発明が解決しようとする課題】
【０００４】
しかしながら、従来の予定管理装置等においては、現在の時刻に、どのような予定が入っているかということや、現在の時刻よりも後に、どのような予定が入っているか、ということ等を、一目で瞬時に確認することができない、という課題があった。
【課題を解決するための手段】
【０００５】
本発明の予定管理装置は、時間を指定する情報である時間情報を含む情報であり、予定に関する情報である予定情報が格納され得る予定情報格納部と、現在の時刻を示す情報である現在時刻情報を取得する現在時刻情報取得部と、前記予定情報を出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力部と、を具備する予定管理装置である。
かかる構成により、時間軸上で現在の時刻を視覚的に瞬時に認識でき、現在の時刻と、予定等との関係を、一目で瞬時に確認することができる。これにより、他の人が、今何をしているか、自分が次に何をすべきかを視覚的に瞬時に認識することが可能となる。
【０００６】
また、本発明の予定管理装置は、前記予定管理装置において、前記予定情報に関する情報の入力を受け付ける入力受付部と、前記入力受付部の受け付けた情報に基づいて、前記予定情報格納部に格納されている予定情報の変更を行なう予定情報変更部とをさらに具備する予定管理装置である。
かかる構成により、予定情報に対して変更を加えることができる。
【０００７】
また、本発明の予定管理装置は、前記予定管理装置において、前記予定情報格納部は、時間情報が指定する時間帯の少なくとも一部が重なり合う複数の予定情報を格納しており、前記出力部は、前記重なり合う時間帯に対応した重複予定情報を、前記時間情報に基づいて、時間軸に沿って配置して出力する予定管理装置である。
かかる構成により、重複予定情報を視覚的に瞬時に認識でき、予定が重なっていることを一目で瞬時に確認することができる。
【０００８】
また、本発明の予定管理装置は、前記予定管理装置において、前記出力部が出力する予定出力情報を指定する指示である予定指定指示を受け付ける予定指定指示受付部をさらに備え、前記出力部は、前記予定指定指示が指定する予定出力情報に対応する予定情報の少なくとも一部を、前記予定指定指示が指定する予定出力情報に隣接した領域に出力する予定管理装置である。
かかる構成により、予定の詳細な内容を、容易にかつ直感的に確認することが可能となる。
【０００９】
また、本発明の予定管理装置は、前記予定管理装置において、前記出力部が出力する予定出力情報を指定する指示である予定指定指示を受け付ける予定指定指示受付部をさらに備え、前記予定情報は、他の情報の存在場所を示す情報である存在場所情報を有し、前記出力部は、前記予定指定指示が指定する予定出力情報に隣接した領域に、前記予定指定指示が指定する予定出力情報に対応する予定情報が有する存在場所情報に対応した存在場所出力情報を出力し、前記出力部が出力した前記存在場所出力情報に対する指定を受け付ける存在場所出力情報指定受付部と、前記指定を受け付けた存在場所出力情報に対応する存在場所情報に基づいて他の情報を取得する命令を出力する命令出力部とを、さらに備えた予定管理装置である。
かかる構成により、予定に関連した情報を容易にかつ直感的に取得することが可能となる。
【発明の効果】
【００１０】
本発明による予定管理装置によれば、現在の時刻と予定との関係を、一目で瞬時に確認することができる。
【発明を実施するための最良の形態】
【００１１】
以下、予定管理装置等の実施形態について図面を参照して説明する。なお、実施の形態において同じ符号を付した構成要素は同様の動作を行うので、再度の説明を省略する場合がある。
【００１２】
（実施の形態１）
図１は、本実施の形態における予定管理装置のブロック図である。
予定管理装置１００は、予定情報格納部１１、現在時刻情報取得部１２、出力部１３、入力受付部１４、予定情報変更部１５、予定指定指示受付部１６、存在場所出力情報指定受付部１７、命令出力部１８、時計１９を具備する。
【００１３】
予定情報格納部１１には、時間を指定する情報である時間情報を含む情報であり、予定に関する情報である予定情報が格納され得る。ここで述べる「時間」は、具体的には、「午前８時００分」等の時刻や、「午後９時２０分から午後１０時３２分まで」等の時間帯を含む概念である。時間情報は、特定の時刻を示す情報であってもよい。また、時間情報は、時間帯を指定するための、例えば、開始時刻と終了時刻とにより構成される情報であっても良いし、開始時刻と時間帯の継続時間との組み合わせにより構成される情報であってもよい。なお、本実施の形態において述べる「時間」は、具体的には、年月日よりも詳細な単位、例えば「時」、「分」、「秒」等の単位、で表される時間のことである。つまり、本実施の形態の時間情報は、例えば、午後３時や、午前１１時といった時間や、午前２時１５分といった時間および分や、午前８時４５分２３秒といった「時」、「分」、「秒」の情報を有している。予定情報は、具体的には、予定の内容やタイトル等を示す情報であり、例えば、予定を記したテキストである。また、予定の内容やタイトル等を示す音声情報や動画像情報、静止画像情報であっても良い。また、予定情報には、予定を記録した日時等の情報が含まれていても良い。また、予定情報は、時間情報のみにより構成されていてもよい。また、予定情報は、例えば予定に対してなんらかの関連をもつ情報等の情報の存在場所を示す情報である存在場所情報を有していてもよい。存在場所情報は、具体的には、他の情報に対するリンク情報を有する情報である。予定関連情報は、例えば、他の情報が格納されているＵＲＬやＵＲＩ、ディレクトリとファイル名との組み合わせ等である。予定情報格納部１１に格納されている予定情報は、複数であっても良い。また、予定情報同士は、時間情報が指定する時間帯の少なくとも一部が重なり合う複数の予定情報を格納していてもよい。予定情報格納部１１は、不揮発性の記録媒体が好適であるが、揮発性の記録媒体でも実現可能である。
【００１４】
現在時刻情報取得部１２は、現在の時刻を示す情報である現在時刻情報を取得する。現在時刻情報取得部１２は、現在時刻情報をどのように取得しても良い。例えば、ネットワーク経由等で、現在の時刻を示す情報を提供するサーバ等から、現在時刻情報を取得しても良い。ここでは、現在時刻情報取得部１２が、後述する時計１９から現在時刻情報を取得する場合について説明する。現在時刻情報は、例えば、「２３時１４分」や、「９時」等の時刻を示す値である。現在時刻情報取得部１２が取得する現在時刻情報は、上述したように年月日よりも詳細な時刻である。現在時刻情報取得部１２は、通常、ＭＰＵやメモリ等から実現され得る。現在時刻情報取得部１２の処理手順は、通常、ソフトウェアで実現され、当該ソフトウェアはＲＯＭ等の記録媒体に記録されている。但し、ハードウェア（専用回路）で実現しても良い。
【００１５】
出力部１３は、予定情報格納部１１に格納されている予定情報を出力するための情報である予定出力情報を、予定情報の時間情報に基づいて、時間軸に沿って配置して出力し、現在時刻情報取得部１２が取得した現在時刻情報に対応した情報である現在出力情報を、現在時刻情報に基づいて、時間軸に沿って配置して出力する。時間軸とは、時間の経過を表した軸であり、具体的には、時間を目盛りとした軸である。時間軸においては、通常、時間の経過順に、時間が配列されている。時間軸は、現在出力情報等を配列する際の基準として利用される。時間軸には、時間を目盛りとして利用している計画表や、タイムテーブル等も含まれる。時間軸は、実際に出力されて表示が行なわれるものであっても、後述する予定出力情報等を配置する際の基準等に利用されるのみで、出力や表示が行なわれないものであってもよい。時間軸の情報は、通常、図示しないメモリ等の記憶媒体に格納されている。予定出力情報とは、具体的には、予定情報が含む時間情報が示す時間を画像として出力するための情報を含む情報である。例えば、時間情報が示す時間帯を示すための画像を出力するための情報、例えば時間情報が示す時間帯に背景色や背景画像を設定する情報や、時間帯の枠を出力するための情報等である。また、時間情報が示す時刻を時間軸上において示すための情報、例えば矢印等の記号やアイコン等の画像情報であってもよい。また、予定出力情報は、予定に関連した情報を出力するための情報を含んでいてもよい。予定出力情報は、例えば、予定情報に含まれる予定の内容や、タイトルや、これらの一部の情報を含んでいてもよい。現在出力情報とは、具体的には、現在時刻情報が示す現在の時刻を画像として出力するための情報である。例えば、現在時刻情報が示す現在の時刻を示すための情報、例えば、時間軸の現在の時刻が示す位置に配置される線や、矢印等の記号やアイコン等の画像情報であってもよい。また、現在時刻情報を含む時間帯を示すための情報、例えば現在時刻情報を含む時間帯の背景色や背景画像を設定する情報や、時間帯の枠を出力するための情報等である。この背景画像等は、動画像であっても静止画像であってもよい。また背景色の情報は、背景を点滅させるための情報、例えば、２つの背景色を指定する情報と、これらを交互に切り替えるための情報の組み合わせ等であっても良い。なお、現在出力情報は、現在時刻あるいは現在時刻を含む時間帯が視覚的に瞬時に認識できるよう、例えば、点滅する背景等の動きのある画像であることが好ましい。また、現在出力情報は、予定出力情報と識別可能な出力となる情報に設定する。例えば、現在出力情報と、予定出力情報とが、異なる色の画像で表示されるように設定する。出力部１３は、具体的には、予定情報に応じて予定出力情報を構成する。また、出力部１３は、具体的には、現在時刻情報から現在出力情報を構成する。予定出力情報や現在出力情報を構成するために用いられる情報、例えば、背景色や背景画像、枠の情報等は、予め、メモリ等の記憶媒体等に格納しておき、出力部１３が適宜読み出すようにすればよい。また、出力部１３は、具体的には、構成した予定出力情報を、予め設定されている時間軸の、予定情報が含む時間情報が示す時間に対応した位置に、この予定出力情報を配置し出力する。また、出力部１３は、具体的には、構成した現在出力情報を、予め設定されている時間軸の、現在時刻情報が示す時間に対応した位置に現在出力情報を配置し出力する。出力部１３が、例えば、計画表やタイムテーブル等の、予め時間単位で区切られた複数のセル上やセル内に予定を出力するものである場合、この複数のセル上やセル内に予定出力情報を配置するようにしても良い。また、出力部１３は、同様に、現在出力情報を、現在時刻情報が示す時間に対応したセル上やセル内に配置する。例えば、予定出力情報が、背景色を指定する情報であれば、予定情報が含む時間情報が示す時間に対応したセル内に、予定出力情報が示す背景色をもつ背景の画像を配置し出力する。同様に、現在出力情報が、点滅する背景を指定する情報であれば、現在時刻情報が示す時刻に対応したセル内に、現在出力情報が示す点滅する背景の画像を配置し出力する。また、出力部１３は、予定情報格納部１１が格納している複数の予定情報の、それぞれ時間情報が指定する時間帯の少なくとも一部が重なり合う場合、これらの重なり合う時間帯に対応した重複予定情報を構成し、予定情報の時間情報に基づいて、時間軸に沿って配置して出力する。予定情報同士の指定する時間帯が重複するか否かの判定や、どの時間帯が重複するか等の判定は、ここでは出力部１３が行なうが、他の処理部等が行なうようにしても良い。出力部１３が構成する重複予定情報は、予定出力情報および現在出力情報に対して識別可能な、予定出力情報および現在出力情報とは異なる出力を行なうための情報である点を除けば、予定出力情報と同様の情報であってもよい。あるいは、出力部１３が構成する重複予定情報は、予定出力情報同士を、透過した状態で重ね合わせて得られる情報、例えばいわゆるオーバーレイして得られる情報、であっても良い。なお、上述した「時間軸に沿って配置」とは、具体的には、時間軸に対して平行な軸の伸びる方向に向かって予定出力情報等を配列することであり、時間軸に接していても接していなくても良い。また、出力部１３は、後述する予定指定指示が指定する予定出力情報に対応する予定情報の少なくとも一部を、予定指定指示が指定する予定出力情報に隣接した領域に出力する。また、予定情報が、上述した存在場所情報を含む場合、この存在場所情報に対応した存在場所出力情報を、予定指定指示が指定する予定出力情報に隣接した領域に出力する。存在場所出力情報は、存在場所情報と同じものであってもよいし、その一部であっても良い。また、存在場所情報に対応した記号や文字、アイコン等の画像情報等であっても良い。予定指定指示については後述する。出力部１３が、予定情報の一部を予定出力情報に隣接した領域に出力する際の、背景色や文字色、出力する領域の大きさ等については、問わない。出力部１３は、ディスプレイ等の出力デバイスを含むと考えても含まないと考えても良い。出力部１３は、出力デバイスのドライバーソフトまたは、出力デバイスのドライバーソフトと出力デバイス等で実現され得る。出力とは、ディスプレイへの表示、プリンタへの印字、外部の装置への送信等を含む概念である。
【００１６】
入力受付部１４は、予定情報に関する情報の入力を受け付ける。予定情報に関する情報とは、具体的には、例えば、予定情報格納部１１に格納されている予定情報に対する削除や変更の指示や、予定情報格納部１１に新たに蓄積する予定情報の少なくとも１つである。予定情報の入力手段は、テンキーやキーボードやマウスやメニュー画面によるもの等、何でも良い。入力受付部１４は、テンキーやキーボード等の入力手段のデバイスドライバーや、メニュー画面の制御ソフトウェア等で実現され得る。
【００１７】
予定情報変更部１５は、入力受付部１４の受け付けた情報に基づいて、予定情報格納部１１に格納されている予定情報の変更を行なう。具体的には、入力受付部１４の受け付けた情報が、予定情報格納部１１に格納されている予定情報に対する削除を指示する情報であれば、予定情報変更部１５は、指示を受けた予定情報を予定情報格納部１１から削除する。また、入力受付部１４の受け付けた情報が、予定情報格納部１１に格納されている予定情報に対する変更を指示する情報であれば、予定情報変更部１５は、指示を受けた予定情報を変更する指示に従って変更する。また、入力受付部１４の受け付けた情報が、予定情報格納部１１に新たに蓄積する予定情報であれば、受け付けた予定情報を、予定情報格納部１１に蓄積する。予定情報変更部１５は、通常、ＭＰＵやメモリ等から実現され得る。予定情報変更部１５の処理手順は、通常、ソフトウェアで実現され、当該ソフトウェアはＲＯＭ等の記録媒体に記録されている。但し、ハードウェア（専用回路）で実現しても良い。
【００１８】
予定指定指示受付部１６は、出力部１３が出力する予定出力情報を指定する指示である予定指定指示を受け付ける。予定指定指示の入力手段は、テンキーやキーボードやマウスやメニュー画面によるもの等、何でも良い。予定指定指示受付部１６は、テンキーやキーボード等の入力手段のデバイスドライバーや、メニュー画面の制御ソフトウェア等で実現され得る。
【００１９】
存在場所出力情報指定受付部１７は、出力部１３が出力した存在場所出力情報に対する指定を受け付ける。存在場所出力情報に対する指定の入力手段は、テンキーやキーボードやマウスやメニュー画面によるもの等、何でも良い。存在場所出力情報指定受付部１７は、テンキーやキーボード等の入力手段のデバイスドライバーや、メニュー画面の制御ソフトウェア等で実現され得る。
【００２０】
命令出力部１８は、存在場所出力情報指定受付部１７が指定を受け付けた存在場所出力情報に対応する存在場所情報に基づいて他の情報を取得する命令を出力する。命令出力部１８は、命令を、存在場所情報に基づいて他の情報を取得することが可能な予定管理装置１００内の他の処理部等に出力しても良いし、存在場所情報に基づいて他の情報を取得することが可能な他の装置に出力してもよい。例えば、存在場所情報がＵＲＬである場合、命令出力部１８は、このＵＲＬに存在している情報を取得する命令を、インターネット用ブラウザのアプリケーションを実行可能なコンピュータに送信し、実行させるようにしても良い。命令出力部１８が命令を生成する構成は、通常、ＭＰＵやメモリ等から実現され得る。命令出力部１８が命令を生成する処理手順は、通常、ソフトウェアで実現され、当該ソフトウェアはＲＯＭ等の記録媒体に記録されている。但し、ハードウェア（専用回路）で実現しても良い。また、命令出力部１８は、命令を出力するための、送信デバイス等の出力デバイスを含むと考えても含まないと考えても良い。出力部１３は、出力デバイスのドライバーソフトまたは、出力デバイスのドライバーソフトと出力デバイス等で実現され得る。出力とは、他の処理部や外部の装置への送信等を含む概念である。
【００２１】
時計１９は時を刻むものである。
【００２２】
次に、予定管理装置１００の動作について図２のフローチャートを用いて説明する。
（ステップＳ２０１）出力部１３は、予定出力情報を出力するか否かを判定する。出力部１３は、予定出力情報を出力するか否かをどのように判定してもよい。例えば、入力受付部１４や、図示しない受付部等が、予定出力情報を出力する指示を受け付けた場合に、予定出力情報を出力することを判定してもよい。また、予定管理装置１００が起動の処理を終了した場合に、予定出力情報を出力することを判定してもよい。予定出力情報を出力する場合、ステップＳ２０２へ進み、出力しない場合、ステップＳ２０１に戻る。
【００２３】
（ステップＳ２０２）出力部１３は、予定情報格納部１１に格納されている予定情報に基づいて、予定情報に対応した予定出力情報を構成する。ここでは、例として、各予定情報が示す予定の開始時刻と終了時刻とに挟まれた時間帯（以下、予定時間帯と称す）を、それぞれ、領域を示す画像として時間軸に沿って出力するための予定出力情報を構成する。
【００２４】
（ステップＳ２０３）出力部１３は、各予定情報の予定時間帯同士を比較して、予定時間帯同士の少なくとも一部が、重なり合う予定情報があるか否かを判定する。予定時間帯同士が重なるものがある場合、ステップＳ２０４へ進み、重なるものがない場合、ステップＳ２０４へ進む。
【００２５】
（ステップＳ２０４）出力部１３は、予定時間帯の重なり合う時間帯に対応した重複予定情報を構成する。ここでは例として、予定時間帯の重なり合う時間帯を予定情報に基づいて算出し、この時間帯を示す画像を時間軸に沿って出力するための重複予定情報を構成する。また、ここでは、例としてステップＳ２０２で構成した予定出力情報のうちの、予定時間帯が重なり合っている予定情報に対応した予定出力情報について、予定時間帯が重なり合っている時間帯を出力する画像を削除するように、予定出力情報を変更する。
【００２６】
（ステップＳ２０５）現在時刻情報取得部１２は、現在時刻情報を取得する。ここでは、例として、時計１９が刻む時間情報を現在時刻情報として取得する。
【００２７】
（ステップＳ２０６）出力部１３は、ステップＳ２０５において取得した現在時刻情報に対応した現在出力情報を構成する。例えば、現在時刻情報が、予め設定した時間帯のうちのいずれに含まれるかを判定し、その含まれる時間帯を画像として時間軸に沿って出力するための現在出力情報を構成する。また、現在時刻情報が示す時刻の前後に所定の期間を付加した時間帯を、画像として出力するための現在出力情報を構成してもよい。また、現在時刻情報が示す時刻を示すための画像、例えば、矢印等の画像や、現在時刻情報が示す時刻に対応した位置を横切る線の画像等、を時間軸に沿って出力するための現在出力情報を構成しても良い。
【００２８】
（ステップＳ２０７）出力部１３は、構成した予定出力情報、重複予定情報、および現在出力情報を、時間軸に沿って配置して出力する。例えば、出力部１３は、図示しないメモリ等の記憶媒体に予め格納されている、時間軸を出力するための情報や、時間軸に沿って予定出力情報、重複予定情報、および現在出力情報を配置するための出力欄を出力するための情報を用いて、予定出力情報、重複予定情報、および現在出力情報を、時間軸と共に出力する。
【００２９】
（ステップＳ２０８）入力受付部１４は、予定情報に関する情報を受け付けたか否かを判定する。受け付けた場合、ステップＳ２０９に進み、受け付けていない場合、ステップＳ２１０に進む。
【００３０】
（ステップＳ２０９）予定情報変更部１５は、ステップＳ２０８において受け付けた予定情報に関する情報の入力に基づいて、予定情報に格納されている予定情報の変更を行なう。具体的には、例えば、予定情報に関する情報が、新たな予定情報である場合、この新たな予定情報を予定情報格納部１１に蓄積する。また、予定情報に関する情報が、既存の予定情報を変更する情報である場合、この情報に基づいて予定情報格納部１１に格納されている予定情報を変更する。また、予定情報に関する情報が、既存の予定情報の少なくとも一つを削除する情報である場合、この情報に基づいて、予定情報格納部１１に格納されている予定情報を削除する。そして、ステップＳ２０２に戻る。
【００３１】
（ステップＳ２１０）予定指定指示受付部１６は、予定指定指示を受け付けたか否かを判定する。受け付けた場合、ステップＳ２１１に進み、受け付けていない場合、ステップＳ２１６に進む。
【００３２】
（ステップＳ２１１）出力部１３は、ステップＳ２１０において受け付けた予定指定指示に対応する予定情報の少なくとも一部を、予定指定指示が指定する予定出力情報に隣接した領域に出力する。また、予定情報が存在場所情報を有する場合、この存在場所情報に対応した存在場所出力情報を出力する。
【００３３】
（ステップＳ２１２）存在場所出力情報指定受付部１７は、存在場所出力情報に対する指定を受け付けたか否かを判定する。受け付けた場合、ステップＳ２１３へ進み、受け付けていない場合、ステップＳ２１４へ進む。なお、存在場所出力情報が出力されていない場合、このステップＳ２１２と、ステップＳ２１３とは無視されるものとする。
【００３４】
（ステップＳ２１３）命令出力部１８は、ステップＳ２１２において指定を受け付けた存在場所出力情報に対応する存在場所情報に基づいて他の情報を取得する命令を出力する。具体的には、例えば、存在場所情報が示す場所の情報を取得する命令を出力する。
【００３５】
（ステップＳ２１４）出力部１３は、ステップＳ２１１において出力した予定情報の少なくとも一部の出力を終了するか否かを判定する。例えば、出力部１３は、予定情報の少なくとも一部の出力から所定の時間が経過したか否かを判定し、所定の時間が経過している場合、出力を終了することを決定する。また、入力受付部１４や、図示しない受付部等が、予定情報の少なくとも一部の出力を終了する指示を受け付けた場合、出力を終了することを決定する。予定情報の少なくとも一部の出力を終了する場合、ステップＳ２１５に進み、終了しない場合、ステップＳ２１２へ戻る。
【００３６】
（ステップＳ２１５）出力部１３は、ステップＳ２１１において出力した予定情報の少なくとも一部の出力を終了する。そして、ステップＳ２１６に進む。
（ステップＳ２１６）現在時刻情報取得部１２は、現在時刻情報を取得する。
【００３７】
（ステップＳ２１７）出力部１３は、現在時刻情報に基づいて、現在出力情報を更新する必要があるか否かを判定する。例えば、出力部１３が、現在時刻情報が変化し、予め設定しておいた時間帯のうちの、直前に現在時刻情報が含まれていた時間帯とは異なる時間帯に、現在時刻情報が含まれるようになった場合に、現在出力情報を更新する必要があると判定する。更新する必要がある場合、ステップＳ２０６に戻る。更新する必要がない場合、ステップＳ２０８に戻る。
【００３８】
なお、図２のフローチャートにおいて、ステップＳ２０３においては、各予定情報の予定時間帯同士を比較して、予定時間帯同士の少なくとも一部が、重なり合うか否かを判定するかわりに、例えば、予定出力情報が出力することとなる画像同士の少なくとも一部が重なり合うか否かを判定してもよい。この場合、例えば、ステップＳ２０４においては、予定出力情報が出力することとなる画像同士の重なり合う領域に画像を出力するための情報を求め、この情報を、重複予定情報としてもよい。
なお、図２のフローチャートにおいて、電源オフや処理終了の割り込みにより処理は終了する。
【００３９】
以下、本実施の形態における予定管理装置の具体的な動作について説明する。予定管理装置の概念図は図３である。この予定管理装置１００は、例として、出力デバイスであるディスプレイ３０を備えているものとする。
【００４０】
図４は、予定情報格納部１１に格納されている予定情報を管理するための予定情報管理表である。予定情報管理表は、「ＩＤ」、「開始時刻」、「終了時刻」、「日付」、「タイトル」、「内容」という属性を有しており、各レコードは一つの予定情報を示している。「ＩＤ」は各予定情報を識別するための識別情報である。「開始時刻」は、予定の開始時刻を示す。また、「終了時刻」は予定の終了時刻を示す。「開始時刻」および「終了時刻」は時、分を単位として表される。「日付」は、予定の日付を示しており、ここでは、年、月、日の順に表されている。「タイトル」は、予定に付与されたタイトルを示す。「内容」は、予定に関する情報で、予定の具体的な内容や、関連する情報等である。特に、「ＩＤ」が「００２」である予約情報の「内容」としては、存在場所情報として、ＵＲＬを含んでいるものとする。
【００４１】
図５は、出力部１３が予定出力情報等を出力する際に用いる、予定出力情報等を配置する出力欄を備えたウインドウの例を示す図である。出力欄５１は、ウインドウ５０内に配置される。この出力欄５１には、予定出力情報、重複出力情報、および現在出力情報が出力される。出力欄５１の左上隅の、ウインドウ５０の出力領域内における座標（ｘ、ｙ）は、（１６０、３２０）、出力欄５１の右下隅の座標（ｘ、ｙ）は、（１１２０、４００）である。なお、座標の数値の単位はここではピクセルを用いている。出力欄５１の上部には、時間軸を出力するためのメモリが、１時間間隔で刻まれている。この出力欄５１は、８時００分から、２０時００分までの予定を出力可能となっている。また、このウインドウを出力するための情報は、予め、図示しないメモリ等の記憶媒体に格納されているものとする。なお、図５においては、説明の便宜上、特に数値等が設定されていない場合、出力される画像等の位置関係や、縦横比や、縮尺等は、実際の出力とは異なる場合がものとする。係ることは他の図においても同様である。
【００４２】
まず、ユーザが、例えば入力受付部１４や、図示しない入力受付部等を介して、予定管理装置１００に予定情報を出力する指示を与えたとする。
出力部１３は、予定情報格納部１１に格納されている予定情報を取得して、予定出力情報を構成する。
【００４３】
図６は、出力部１３が構成する予定出力情報を管理するための予定出力情報管理表を示す。予定出力情報管理表は、「ＩＤ」、「左上座標」、「幅、高さ」、「出力」という属性を有しており、各レコードは一つの予定出力情報を示している。「ＩＤ」は上述した予定情報管理表の「ＩＤ」に相当する。「左上座標」は、予定出力情報が出力する、領域を示す画像の左上隅の座標（ｘ、ｙ）を示す。また、「幅、高さ」は予定出力情報が出力する、領域を示す画像の幅、および高さを示す。「左上座標」および「幅、高さ」の単位は、ここでは例としてピクセルとする。「出力」は、予定出力情報が出力する画像の属性を示す。ここでは、例として、全ての予定情報の「出力」が、「ｂｇｃｏｌｏｒ＝"ｙｅｌｌｏｗ"」に予め設定されている。この「ｂｇｃｏｌｏｒ＝"色"」は、予定出力情報が出力する領域の画像として、背景色が"色"で指定される色である画像を出力する、という設定であり、ここでは、ｙｅｌｌｏｗ、すなわち黄色の背景色に設定されていることを意味する。なお、この色の設定は、ユーザが適宜変更できるようにしてもよいし、予め設定されていてもよい。また、予定出力情報が出力する領域の色の設定は、各予定出力情報が対応する予定情報の種類等に対応して異なる色に設定されるようにしてもよい。また、「出力」の属性値をユーザが適宜変更できるようにしても良い。
【００４４】
出力部１３は、まず、図４に示す予定情報の「開始時刻」および「終了時刻」から、図５に示す出力欄５１に予定出力情報を配置する際の「座標」および「幅、高さ」を求める。具体的には、出力欄５１の左上と右下の座標が分かっており、また、出力欄が示す時間の範囲が８時から２０時までの１２時間であることが分かっているため、これらの情報から予定出力情報を配置する際の「座標」および「幅、高さ」を算出する。例えば、出力欄５１の幅は、１１２０―１６０＝９６０ピクセルであるため、出力欄５１における１時間あたりの幅は、８０ピクセルとなる。ここで、例えば「ＩＤ」が「００２」の予定情報の、「開始時刻」は、「１０：００」であり、出力欄５１の左上隅の座標は、（１６０、３２０）であるので、「ＩＤ」が「００２」の予定出力情報の「左上座標」は、ｘ座標が、１６０＋（１０−８）×８０＝３２０となり、ｙ座標は、３２０となる。また、「ＩＤ」が「００２」の予定情報の、「開始時刻」は、「１０：００」、「終了時刻」は、「１２：００」であるので、画像出力情報の幅は、（１２−１０）×８０＝１６０ピクセルとなり、高さは出力欄５１の高さと同じ８０ピクセルとなる。同様にして、出力部１３により、図６に示すように、図４に示した予定情報に対応した予定出力情報が構成される。
【００４５】
次に、出力部１３は、各予定情報の示す予定時間帯が、他の予定情報の予定時間帯と重なり合うか否かを判定する。そして、重なり合う場合、重なる予定時間帯を示す画像を出力するための重複予定情報を、予定出力情報と同様の処理により構成する。また、予定時間帯同士が重なり合う予定出力については、出力部１３により、予定出力情報の重なる部分が削除される変更が行なわれる。ここでは、「ＩＤ」が「００４」と「００５」の予定情報の予定時間帯が重なり合っているため、この重なり合っている部分について重複予定情報が構成される。重複予定情報、および変更された予定出力情報は、図７に示すようになる。図７は、図６と同様の予定出力情報を管理するための予定出力情報管理表である。ただし、ここでは、便宜上、重複予定情報も管理している。「ＩＤ」が「００６」であるレコードが重複予定情報を示す。重複予定情報の「出力」は、「ｂｇｃｏｌｏｒ＝"ｏｒａｎｇｅ"」、すなわち背景色をオレンジ色にする設定に、予め設定されていたとする。
【００４６】
次に、現在時刻情報取得部１２は、時計１９から、現在の時刻情報を取得する。ここでは、現在の時刻、すなわち、予定情報を出力する指示を受け付けた直後の時刻、は１４時１２分であったとする。
【００４７】
出力部１３は、ここでは、例として、出力欄５１を、出力欄５１の最初の時刻である８時００分から３０分単位で区切って得られる複数の時間帯のうちの、どの時間帯に、現在時刻情報取得部１２が取得した時間帯が含まれるか否かを判定する。ここでは、現在の時刻は、１４時００分から１４時３０分までの時間帯に含まれるため、この時間帯を示すための、領域を示す画像を出力する現在出力情報を構成する。
【００４８】
図８は、現在出力情報を示すための図であり、現在出力情報は、「左上座標」、「幅、高さ」、「出力」という属性を有している。各属性は、上述した予定出力情報管理表の属性と同様である。「幅、高さ」の値については、予め３０分間隔の、現在出力情報を設定するようにしていることから、ここでは、幅は４０ピクセル、高さは出力欄５１と同じ８０ピクセルに設定されている。現在出力情報の「出力」の属性値は「ｂｇｓｔｙｌｅ＝"ｂｌｉｎｋ"」に予め設定されている。この「ｂｇｓｔｙｌｅ＝"ｂｌｉｎｋ"」は、現在出力情報が出力する領域の背景として、点滅する画像を出力する、という設定であり、ここでは、背景色が所定の間隔で、紫色と青色で切り替わるものとする。なお、現在出力情報を点滅する画像として出力する方法等は問わない。例えば、点滅する画像を、現在出力情報が出力する領域の前面に配置してもよい。また、点滅する画像が、点滅する時間の間隔等は任意に設定可能である。また、点滅する画像を、どのように表現するようにするかは問わない。例えば、点灯した状態の画像の透明度を連続的に変化させて点滅を表現してもよい。
【００４９】
出力部１３は、時間軸を示す出力欄５１に、予定出力情報、重複予定情報、現在出力情報を配置して出力する。出力例を図９に示す。ここでは、この現在出力情報により出力される画像は、他の予定出力情報等により出力される画像よりも、常に前面に配置されて出力されるものとする。図９に示すように、現在出力情報により出力された領域９０１は、「ＩＤ」が「００３」である予定情報を出力するための予定出力情報に基づいて出力される領域９００の前面に、現在出力情報の「出力」属性に従って、点滅して出力される。なお、現在出力情報に、透過性を持たせて、重なっている他の予定出力情報等を視認できるようにしても良い。また、図４に示した「ＩＤ」が「００４」と「００５」の予定情報の、予定時間帯が重なっている部分には、図７に示した予定出力情報管理表に基づいて、重複予定情報に基づく領域９０２が出力される。
【００５０】
ここで、例えば、ユーザが、メニュー等を操作して、「ＩＤ」が「００１」である予定情報を削除する指示を、入力受付部１４に与えると、図９の、「ＩＤ」が「００１」である予定情報に対応した予定出力情報に基づいて出力されていた領域９０３が削除される。
【００５１】
また、例えば、ユーザが、メニュー等を操作して、１５時１５分から１５時３０分までの時間帯を指定した新たな予定情報を生成する指示を、入力受付部１４に与えると、この時間帯に、新たな予定出力情報に基づいた領域が出力されることとなる。
【００５２】
また、例えば、ユーザが、メニュー等を操作して、「ＩＤ」が「００５」である予定情報の終了時刻を２０時００分に変更すると、「ＩＤ」が「００５」である予定情報に対応した予定出力情報に基づいて出力されていた領域の終了位置が、２０時００分の位置に変更される。
【００５３】
ここで、ユーザがマウス等を操作して、ポインタ等を、図９の領域９０４上に配置したとする。予定指定指示受付部１６は、このポインタ等が配置されたことにより、領域９０４に対応する予定出力情報、すなわち図６における「ＩＤ」が「００２」である予定出力情報、に対する指定を受け付ける。具体的には、図６に示した予定出力情報管理表の、「左上座標」と、「幅、高さ」とにより設定される領域のいずれかに、ポインタの座標が位置するか否かを判定し、ポインタの座標がいずれかの領域内に含まれる場合、その領域に対応した予定出力情報に対する指定を受け付けたと判定する。
【００５４】
出力部１３は、領域９０４に対応する予定出力情報に対する指定に基づいて、この予定出力情報に対応する予定情報、すなわち図４に示した予定情報のうちの、予定出力情報と同じ「ＩＤ」を持つ、「ＩＤ」が「００２」である予定情報の、「タイトル」および「内容」を取得し、領域９０４に隣接した位置、ここでは例として右下、に出力する。ここではこの予定情報は、画像として出力され、その画像をポップアップ画像１０００と呼ぶ。ポップアップ画像とは、例えば、なんらかのトリガーやタイミング等により、画像上に出現して出力される画像である。ここではポップアップ画像１０００の左上隅の座標を、領域９０４の下辺の中央となる座標に設定する。出力例を図１０に示す。なお、予定情報の、「タイトル」および「内容」を出力する際の、出力領域の形状や、色、大きさ等は問わない。また、大きさは固定であっても良いし、「内容」等の情報量に合わせて可変としてもよい。これらの出力に用いられる情報のうちの予定情報に含まれない情報については、ここでは、メモリ等の記憶媒体に予め蓄積されているものとする。なお、出力部１３は、予定情報を画像として出力しても、文字列等として出力してもよく、予定情報をどのように出力するかは問わない。なお、このポップアップ画像は、所定の時間だけ出力された後、出力が終了するものとする。なお、出力部１３が出力する予定情報として、ＨＴＭＬやＸＭＬ等で表現できるすべての情報が利用可能である。
【００５５】
ここで、「ＩＤ」が「００２」である予定情報の「内容」には、上述したように、存在場所情報としてリンク情報、具体的には、「ｈｔｔｐ：／／ｗｗｗ．ａｂｃｄｅ…」というＵＲＬが格納されている。このため、図１０に示すポップアップ画像１０００内に、存在場所出力情報１００１として、下線付きのＵＲＬが出力される。
【００５６】
次に、ユーザが、存在場所出力情報１００１を、マウス等を操作してクリックすると、存在場所出力情報指定受付部１７が、存在場所出力情報１００１に対する指定を受け付ける。なお、クリックの受け付けにより、ポップアップ画像１０００の出力を終了させる指示も受け付け、後述する命令の出力後、ポップアップ画像の出力を終了するようにしてもよい。
【００５７】
そして、この指定の受け付けをトリガーとして、命令出力部１８は、存在場所出力情報１００１に対応する存在場所情報が指定する情報を取得する命令を、インターネット用ブラウザ等のアプリケーションを実行する図示しないＭＰＵ等に出力する。ＭＰＵは、この命令に基づいて、インターネット用ブラウザ１１００を実行させて、「ｈｔｔｐ：／／ｗｗｗ．ａｂｃｄｅ…」というＵＲＬから情報を取得し出力する。出力例を図１１に示す。
【００５８】
以上、本実施の形態によれば、現在時刻情報取得部１２が取得した現在時刻情報に対応した現在出力情報を出力部１３が出力するようにしたことにより、時間軸上で現在の時刻を視覚的に瞬時に認識でき、現在の時刻と、予定等との関係を、一目で瞬時に確認することができる。これにより、利便性に優れた予定管理装置を提供することが可能となる。
【００５９】
また、時間情報が指定する時間帯が他の予定情報と重なる場合、その重複する時間帯に対応した重複予定情報を出力するようにしたことにより、重複予定情報を視覚的に瞬時に認識でき、予定が重なっていることを一目で瞬時に理解することができる。
【００６０】
また、予定出力情報を指定した場合に、予定情報の一部を、予定出力情報に隣接した領域に出力するようにしたことにより、予定の詳細な内容を、容易にかつ直感的に確認することが可能となる。
【００６１】
また、予定情報が存在場所情報を有する場合に、出力部１３が、予定出力情報の指定に応じて、対応する存在場所出力情報を予定出力情報に隣接して出力するようにし、当該存在場所出力情報に対する指定を受け付けた場合に、命令出力部１８が、対応する存在場所情報に基づいて情報を取得する指示を出力するようにしたので、予定に関連した情報を容易にかつ直感的に取得することが可能となる。
【００６２】
なお、本実施の形態においては、一人の予定のみを出力する場合について説明したが、本発明においては、複数人や、グループの予定等を、異なる出力欄に並べて出力する場合や、一つの出力欄に重ねたりして出力する場合についても適用できるものである。この場合、予定情報に必要に応じて各個人の予定情報を識別するための識別情報を含めたり、また、各個人の予定出力情報の背景色等を、適宜、他人と識別しやすい色に設定したりすることが好ましい。かかることは他の実施の形態においても同様である。
【００６３】
なお、本実施の形態においては、現在出力情報の配置される位置が、他の予定出力情報等が配置される位置とが重なった場合、現在出力情報が認識できるように、現在出力情報を、他の予定出力情報等に対して、常に前面に配置するようにしたが、上述した重複予定情報と同様に、現在出力情報と予定出力情報とが重なりあっていることを示す情報である重複現在情報を、重なり合う時間帯に対応して構成し、これを重なり合っている時間帯に、現在出力情報や予定出力情報の代わりに配置するようにしてもよい。なお、重複現在情報としては、現在出力情報や予定出力情報、重複予定情報とは異なる出力が得られるものを構成する。かかることは、他の実施の形態においても同様である。
【００６４】
また、上記実施の形態では、予定管理装置がスタンドアロンである場合について説明したが、予定管理装置は、スタンドアロンの装置であってもよく、サーバ・クライアントシステムにおけるサーバ装置であってもよい。後者の場合には、出力部や入力受付部は、通信回線を介して入力を受け付けたり、画面を出力したりすることになる。例えば、予定管理装置にネットワーク接続されたクライアント装置のブラウザ等を、入力用のインターフェースとして用いるようにし、このブラウザ等を介して入力される予定情報に関する情報の入力を、ネットワーク経由で、予定管理装置の入力受付部が受け付けるようにしてもよい。かかることは他の実施の形態においても同様である。
【００６５】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における予定管理装置を実現するソフトウェアは、以下のようなプログラムである。つまり、このプログラムは、コンピュータに、現在の時刻を示す情報である現在時刻情報を取得する現在時刻情報取得ステップと、格納されている時間を指定する情報である時間情報を含む予定に関する情報である予定情報を、出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力ステップと、を実行させるためのプログラム、である。
【００６６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。かかることは、他の実施の形態においても同様である。
【００６７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。かかることは、他の実施の形態においても同様である。
【００６８】
また、このプログラムを実行するコンピュータは、単数であってもよく、複数であってもよい。すなわち、集中処理を行ってもよく、あるいは分散処理を行ってもよい。かかることは他の実施の形態においても同様である。
【００６９】
（実施の形態２）
本実施の形態に係る予定管理システムは、上述した予定管理装置を、ネットワーク等により接続されたサーバ装置とクライアント装置とにより構成されるシステムで実現するようにしたものである。
図１２は、本実施の形態における予定管理システムのブロック図である。
予定管理システムは、サーバ装置２００と、クライアント装置３００とを具備する。
各装置は、情報の送受信が可能である。各装置は、例えば、インターネット等のネットワーク４００で相互に接続されている。ただし、情報の送受信の手段は、通信手段でも、放送手段等でも良い。
【００７０】
サーバ装置２００は、予定情報格納部１１、予定情報送信部２０１、予定関連情報受信部２０２、予定情報変更部１５を具備する。予定情報格納部１１、および予定情報変更部１５の構成については、上述した実施の形態１と同様であるので説明は省略する。
【００７１】
クライアント装置３００は、予定情報受信部３０１、現在時刻情報取得部１２、出力部１３、入力受付部１４、予定関連情報送信部３０２、予定指定指示受付部１６、存在場所出力情報指定受付部１７、および命令出力部１８を具備する。現在時刻情報取得部１２、出力部１３、入力受付部１４、予定指定指示受付部１６、存在場所出力情報指定受付部１７、および命令出力部１８の構成については、上述した実施の形態１と同様であるので説明は省略する。
【００７２】
予定情報送信部２０１は、予定情報を送信する。具体的には、予定情報送信部２０１は、予定情報格納部１１に格納されている予定情報を、クライアント装置３００に対して送信する。予定情報送信部２０１は、サーバ装置２００の図示しない受信部等がクライアント装置３００から予定情報を送信する要求を受け付けた場合に、予定情報を送信しても良いし、定期的、あるいは不定期に予定情報を送信してもよく、送信するタイミングやトリガー等は問わない。予定情報送信部２０１は、通常、無線または有線の通信手段で実現されるが、放送手段で実現されても良い。
【００７３】
予定関連情報受信部２０２は、予定情報に関する情報、具体的にはクライアント装置３００から送信される予定情報に関する情報を受信する。予定情報に関する情報は、上述した実施の形態１の予定情報に関する情報と同様である。予定関連情報受信部２０２は、通常、無線または有線の通信手段で実現されるが、放送を受信する手段で実現されても良い。
【００７４】
予定情報受信部３０１は、予定情報、具体的にはサーバ装置２００から送信される予定情報を受信する。予定情報受信部３０１は、通常、無線または有線の通信手段で実現されるが、放送を受信する手段で実現されても良い。
【００７５】
予定関連情報送信部３０２は、予定情報に関する情報を送信する。具体的には、入力受付部１４が受け付けた予定情報に関する情報を、サーバ装置２００に送信する。予定関連情報送信部３０２は、無線または有線の通信手段等で実現され得る。通常、無線または有線の通信手段で実現されるが、放送手段で実現されても良い。
【００７６】
次に、予定管理システムのサーバ装置２００の動作について図１３のフローチャートを用いて説明する。
（ステップＳ１３０１）予定情報送信部２０１は、予定情報を送信するか否かを判定する。予定情報送信部２０１は、予定情報を送信するか否かをどのように判定してもよい。例えば、サーバ装置２００の予定関連情報受信部２０２や、サーバ装置２００の図示しない受信部等がクライアント装置３００から予定情報を送信する要求を受け付けた場合に、予定情報を送信することを判定してもよいし、他の処理部等から指示を受けた場合に、予定情報を送信することを判定してもよい。予定情報を出力する場合、ステップＳ１３０２へ進み、出力しない場合、ステップＳ１３０１に戻る。
【００７７】
（ステップＳ１３０２）予定情報送信部２０１は、予定情報格納部１１から予定情報を取得し、クライアント装置３００に対して予定情報を送信する。
【００７８】
（ステップＳ１３０３）予定関連情報受信部２０２は、予定情報に関する情報を受信したか否かを判定する。受信した場合、ステップＳ１３０４に進み、受信していない場合、ステップＳ１３０３に戻る。
【００７９】
（ステップＳ１３０４）予定情報変更部１５は、ステップＳ１３０３において受信した予定情報に関する情報に基づいて、予定情報格納部１１に格納されている予定情報を変更する。
【００８０】
（ステップＳ１３０５）予定情報送信部２０１は、予定情報格納部１１から予定情報を取得し、クライアント装置３００に対して予定情報を送信する。なお、予定情報送信部２０１は、ステップＳ１３０４において、変更された予定情報や新たに追加された予定情報のみを送信するようにしても良い。また、削除された予定情報を指定する情報、例えば削除された予定情報の識別情報を、送信するようにしてもよい。そして、ステップＳ１３０３に戻る。
なお、図１３のフローチャートにおいて、電源オフや処理終了の割り込みにより処理は終了する。
【００８１】
次に、予定管理システムのクライアント装置３００の動作について図１４のフローチャートを用いて説明する。なお、図１４のフローチャートにおいて、図２と同一符号は、同一または相当するステップを示しており、ここでは説明を省略する。
【００８２】
（ステップＳ１４０１）予定情報受信部３０１は、予定情報を受信したか否かを判定する。受信した場合、ステップＳ１４０２へ進み、受信していない場合、ステップＳ１４０１に戻る。
【００８３】
（ステップＳ１４０２）出力部１３は、予定情報受信部３０１が受信した予定情報に基づいて、予定情報に対応した予定出力情報を構成する。そして、ステップＳ２０３に進む。
【００８４】
（ステップＳ１４０３）予定関連情報送信部３０２は、ステップＳ２０８において受け付けた予定情報に関する情報を、サーバ装置２００に送信する。
【００８５】
（ステップＳ１４０４）予定情報受信部３０１は、サーバ装置２００から予定情報を受信したか否かを判定する。受信した場合、ステップＳ１４０２に進み、受信していない場合、ステップＳ１４０４に戻る。なお、所定の時間だけ経過しても予定情報が受信されない場合、タイムアウトとして、エラー出力を行ない、ステップＳ２０８等に戻るようにしても良い。
なお、図１４のフローチャートにおいて、電源オフや処理終了の割り込みにより処理は終了する。
【００８６】
以下、本実施の形態における予定管理システムの具体的な動作について説明する。予定管理システムの概念図は図１５である。
【００８７】
サーバ装置２００の予定情報格納部１１に格納されている予定情報については、図４において示した予定情報管理表の予定情報と同様であるので、説明は省略する。
【００８８】
まず、クライアント装置３００が予定情報を出力する指示を、図示しない受付部等を介してユーザから受け付け、この指示に基づいて、クライアント装置３００から、サーバ装置２００に予定情報を要求する指示が送信されたとする。
【００８９】
サーバ装置２００は、図示しない受信部等で、この予定情報を要求する指示を受信し、予定情報送信部２０１は、予定情報格納部１１に格納されている予定情報を、クライアント装置３００に対して送信する。
【００９０】
クライアント装置３００は、予定情報を受信すると、この予定情報に基づいて、上記実施の形態１と同様に予定出力情報、および重複予定情報を構成し、さらに、現在時刻情報に基づいて、現在出力情報を構成し、これらの情報を出力部１３から出力する。
【００９１】
次に、入力受付部１４に対して、ユーザが、予定情報に関する情報、具体的には、予定情報を削除したり、追加したり、変更したりする情報を入力すると、予定関連情報送信部３０２は、入力受付部１４が受け付けた予定情報に関する情報を、サーバ装置２００に対して送信する。
【００９２】
サーバ装置２００の予定関連情報受信部２０２がクライアント装置３００から、予定情報に関する情報を受信すると、予定情報変更部１５は、上述した実施の形態１と同様に、予定情報に関する情報に基づいて、予定情報格納部１１に格納されている予定情報に対して、予定情報の変更や、追加、削除等の変更を行なう。
【００９３】
予定情報送信部２０１は、予定情報変更部１５による予定情報の変更を、クライアント装置３００の出力に反映させるため、予定情報格納部１１に格納されている予定情報をクライアント装置３００に送信する。
【００９４】
クライアント装置３００は、サーバ装置２００から送信された予定情報を受信し、この受信した予定情報に基づいて、出力部１３において、予定出力情報、および重複予定情報を構成して出力する。
【００９５】
なお、出力部１３が出力している予定出力情報に対する予定指定指示の受け付けにより、予定情報の一部等を出力する構成等については、上述した実施の形態１と同様であるので、ここでは説明を省略する。
【００９６】
以上、本実施の形態によれば、上記実施の形態１と同様の効果を奏するとともに、サーバ装置２００が格納している予定情報を、クライアント装置３００により受信して、この受信した予定情報に基づく出力を行なうようにしたので、クライアント装置３００内に予定情報がなくても、予定情報に基づいて予定を出力させることができる。このため、特定のクライアント装置を利用しなくても、ネットワーク経由で予定を出力させることができ、利便性が向上する。また、ユーザの予定情報を、１つのサーバ装置２００で一元管理できるため、予定情報の同一性が保ちやすく、また、予定情報の保護、管理も容易となる。
【００９７】
なお、本実施の形態においては、クライアント装置が１つの場合について説明したが、本発明においては、クライアント装置は、複数であってもよい。この場合、例えば、それぞれのクライアント装置で、それぞれのクライアント装置のユーザの予定情報を個別に受信して、それぞれの予定を出力するようにしてもよい。また、複数のユーザの予定情報を各クライアント装置が受信して、複数のクライアント装置のユーザの予定を、１つのウインドウ内に並べて出力したり、１つの出力欄に重ねて出力できるようにしても良い。この場合、例えば同じグループ内のメンバーの予定を確認することが可能となる。かかることは他の実施の形態においても同様である。
【００９８】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記各実施の形態における予定管理システムのクライアント装置を実現するソフトウェアは、以下のようなプログラムである。つまり、このプログラムは、コンピュータに、時間を指定する情報である時間情報を含む予定に関する情報である予定情報を受信する第二予定情報受信ステップと、現在の時刻を示す情報である現在時刻情報を取得する現在時刻情報取得ステップと、前記予定情報を出力するための情報である予定出力情報を、前記予定情報の時間情報に基づいて、時間軸に沿って配置して出力し、前記現在時刻情報に対応した情報である現在出力情報を、前記現在時刻情報に基づいて、時間軸に沿って配置して出力する出力ステップと、を実行させるためのプログラム、である。
【００９９】
（実施の形態３）
本実施の形態に係る予定管理システムは、上述した予定管理システムにおいて、出力部が、過去や未来の時間を示す情報を、時間軸上に、それぞれが識別可能となるよう出力するようにしたものである。
【０１００】
図１６は、本実施の形態における予定管理システムのブロック図である。
予定管理システムは、サーバ装置２００と、クライアント装置５００とを具備する。
各装置は、情報の送受信が可能である。各装置は、例えば、インターネット等のネットワーク４００で相互に接続されている。ただし、情報の送受信の手段は、通信手段でも、放送手段等でも良い。
サーバ装置２００の構成については、前記実施の形態２と同様であるので、ここでは説明を省略する。
【０１０１】
クライアント装置５００は、予定情報受信部３０１、現在時刻情報取得部１２、出力部１６０、入力受付部１４、予定関連情報送信部３０２、予定指定指示受付部１６、存在場所出力情報指定受付部１７、および命令出力部１８を具備する。出力部１６０以外の構成については、上述した実施の形態２と同様であるので説明は省略する。
【０１０２】
出力部１６０は、前記実施の形態１において説明した出力部１３において、さらに、現在時刻情報取得部１２が取得した現在時刻情報に基づいて構成された過去出力情報または未来出力情報の、少なくとも一方を、現在時刻情報に基づいて、時間軸に沿って配置して出力するようにしたものである。出力部１３は、具体的には、現在時刻情報に基づいて、過去出力情報または未来出力情報の少なくとも一方を構成する。「現在時刻情報に基づいて」とは、現在時刻情報を直接利用することや、現在時刻情報に基づいて得られる現在出力情報を利用することを含む概念である。未来出力情報とは、現在時刻情報が示す現在の時刻よりも未来の時間帯を示すための情報である。例えば現在出力情報が配置される時刻や時間帯以降の時間帯の背景色や背景画像を設定する情報や、時間帯の枠を出力するための情報等である。この背景画像等は、動画像であっても静止画像であってもよい。なお、未来出力情報は、現在出力情報に対して識別可能な出力となる情報に設定する。例えば、現在出力情報と、未来出力情報とが、異なる色の画像で表示されるように設定する。過去出力情報は、具体的には、現在時刻情報が示す現在の時刻よりも過去の時間を表示するための情報である。過去出力情報とは、現在時刻情報が示す現在の時刻よりも過去の時間帯を示すための情報である。例えば現在出力情報が配置される時刻や時間帯以前の時間帯の背景色や背景画像を設定する情報や、時間帯の枠を出力するための情報等である。この背景画像等は、動画像であっても静止画像であってもよい。例えば、過去出力情報は、現在出力情報に対して識別可能な出力となる情報に設定する。例えば、現在出力情報と、過去出力情報とが、異なる色の画像で表示されるように設定する。また、過去出力情報は、未来出力情報に対しても識別可能な出力となる情報に設定することが好ましい。なお、出力部１６０は、過去出力情報または未来出力情報の配置される位置と、他の予定出力情報等が配置される位置とが重なった場合、過去出力情報または未来出力情報が認識できるように、過去出力情報または未来出力情報を、他の予定出力情報等に対して、常に前面に配置するようにしてもよい。あるいは、重なっている過去出力情報または未来出力情報と、予定出力情報とのいずれかを前面に配置し、その前面に配置された情報を透過させるようにしてもよい。もしくは、出力部１６０は、上述した重複予定情報と同様に、過去出力情報または未来出力情報と、予定出力情報とが重なりあっていることを示す情報を、重なり合う時間帯に対応して構成し、これを重なり合っている時間帯に、予定出力情報等の代わりに配置するようにしてもよい。なお、過去出力情報または未来出力情報と、予定出力情報とが重なりあっていることを示す情報としては、現在出力情報や予定出力情報、重複予定情報とは異なる出力が得られるもの、例えば異なる色を出力するもの、を構成する。
【０１０３】
次に予定管理システムのクライアント装置５００の動作を、図１７のフローチャートを用いて説明する。なお、図１７のフローチャートにおいて、図１４と同一符号は、同一または相当するステップを示しており、ここでは説明を省略する。
【０１０４】
（ステップＳ１７０１）出力部１６０は、過去出力情報を構成する。出力部１６０は、ステップＳ２０５において取得した現在時刻情報を利用して過去出力情報を構成しても良いし、ステップＳ２０６において構成した現在出力情報を利用して過去出力情報を構成しても良い。例えば、現在時刻情報が示す現在の時刻よりも前の時間帯を画像として時間軸に沿って出力するための過去出力情報を構成する。また、現在出力情報が示す時刻あるいは時間帯よりも前の時間帯を画像として時間軸に沿って出力するための過去出力情報を構成してもよい。
【０１０５】
（ステップＳ１７０２）出力部１６０は、未来出力情報を構成する。出力部１６０は、ステップＳ２０５において取得した現在時刻情報を利用して未来出力情報を構成しても良いし、ステップＳ２０６において構成した現在出力情報を利用して未来出力情報を構成しても良い。例えば、現在時刻情報が示す現在の時刻よりも後の時間帯を画像として時間軸に沿って出力するための未来出力情報を構成する。また、現在出力情報が示す時刻あるいは時間帯よりも後ろの時間帯を画像として時間軸に沿って出力するための未来出力情報を構成してもよい。なお、ステップＳ１７０１とステップＳ１７０２との処理順序は問わない。
なお、図１７のフローチャートにおいて、電源オフや処理終了の割り込みにより処理は終了する。
【０１０６】
なお、予定管理システムのサーバ装置２００の動作については、実施の形態２と同様であるので説明は省略する。
【０１０７】
次に、本実施の形態の予定管理システムの具体的な動作について説明する。予定管理システムの概略図は、図１５と同様である。ただし、クライアント装置３００の代わりに、クライアント装置５００が用いられる。
【０１０８】
クライアント装置５００において、現在時刻情報を取得し、現在出力情報を構成するまでの処理については、実施の形態１および実施の形態２と同様であるので、説明は省略する。なお、クライアント装置５００の受信する予定情報や、クライアント装置５００が構成する予定出力情報や現在出力情報、出力部１６０が予定出力情報等を出力する際に利用する出力欄等については、上記実施の形態１において、図４、図５、図７、および図８に示したものと同様であるものとする。
【０１０９】
出力部１６０は、図８に示したような１４時００分から１４時３０分までの時間帯を示す現在出力情報に基づいて、過去出力情報を構成する。すなわち、現在出力情報の開始時刻が、過去出力情報の終了時刻となり、図５に示した出力欄５１の最初の時刻である８時００分を開始時刻となるような時間帯を示す過去出力情報を構成する。出力欄５１の８時００分の位置の左上隅の座標は、（１６０、３２０）であることから、過去出力情報が配置される左上隅の座標は、（１６０、３２０）となる。また、出力欄５１の最初の時刻である８時００分から、現在出力情報の開始時刻である１４時００分までの時間は、６時間であり、１時間あたりの出力欄５１上における長さは８０ピクセルであることから、過去出力情報の幅は、６×８０＝４８０ピクセルとなる。また、過去出力情報が出力される際の属性値は、背景色を灰色に設定するための「ｂｇｃｏｌｏｒ＝"ｇｒａｙ"」に予め設定されているものとする。出力部１６０により構成された過去出力情報を図１８に示す。なお、図１８において、「左上座標」、「幅、高さ」、「出力」という属性は、図８と同様の属性を示している。
【０１１０】
次に、出力部１６０は、図８に示したような１４時００分から１４時３０分までの時間帯を示す現在出力情報に基づいて、未来出力情報を構成する。すなわち、現在出力情報の終了時刻が、未来出力情報の開始時刻となり、図５に示した出力欄５１の最後の時刻である２０時００分を終了時刻となるような時間帯を示す過去出力情報を構成する。現在出力情報の終了時刻は１４時３０分であり、出力欄５１の１４時３０分の位置の左上隅の座標は、ｙ座標は３２０で、ｘ座標は、１６０＋（１４．５−８）×８０＝６８０であることから、未来出力情報が配置される左上隅の座標は、（６８０、３２０）となる。また、現在出力情報の終了時刻である１４時３０分から、出力欄５１の最後の時刻である２０時００分までの時間は、５．５時間であり、１時間あたりの出力欄５１上における長さは８０ピクセルであることから、過去出力情報の幅は、５．５×８０＝４４０ピクセルとなる。また、過去出力情報が出力される際の属性値は、背景色をピンク色に設定するための「ｂｇｃｏｌｏｒ＝"ｐｉｎｋ"」に予め設定されているものとする。出力部１６０により構成された未来出力情報を図１９に示す。なお、図１９において、「左上座標」、「幅、高さ」、「出力」という属性は、図８と同様の属性を示している。
【０１１１】
つぎに、出力部１６０は、時間軸を示す出力欄５１に、予定出力情報、重複予定情報、現在出力情報、過去出力情報、および未来出力情報を配置して出力する。出力例を図２０に示す。ここでは、例として、この過去出力情報および未来出力情報により出力される画像は、他の予定出力情報等により出力される画像よりも、常に前面に配置されるとともに、透過度を例えば５０パーセントとして、他の予定出力情報等により出力される画像に重ねて表示されるものとする。図２０に示すように、過去出力情報により出力された領域２００１は、現在出力情報により出力された領域９０１よりも、前の時間帯を示す領域に配置される。また、未来出力情報により出力された領域２００２は、現在出力情報により出力された領域９０１よりも、後ろの時間帯を示す領域に配置される。
【０１１２】
以上、本実施の形態においては、上記実施の形態２と同様の効果を奏するとともに、過去出力情報や未来出力情報を構成して、これを出力することにより、現在の時刻に対する過去の時間帯や、未来の時間帯を瞬時に認識でき、時間軸上で、現在の時刻以降に入っている予定や、すでに予定された時刻が過ぎている予定を、一目で瞬時に確認することができる。
【０１１３】
なお、現在出力情報と、過去出力情報と、未来出力情報とを構成して配置する代わりに、現在出力情報を構成せず、過去出力情報と、未来出力情報とを構成して配置するようにしてもよい。これにより、この過去出力情報と、未来出力情報とに挟まれた領域もしくは境界が、現在の時刻を示していることをユーザが認識できる。また、現在出力情報および過去出力情報だけを構成して出力するようにしても良い。これにより、現在出力情報および過去出力情報が表示されていない領域が、過去の時間帯であることをユーザが認識できる。また、現在出力情報および未来出力情報だけを構成して出力するようにしても良い。これにより、現在出力情報および未来出力情報が表示されていない領域が、過去の時間帯であることをユーザが認識できる。
【０１１４】
また、上記実施の形態において、出力部１６０が過去出力情報や未来出力情報を構成し出力する代わりに、出力部１６０が、現在時刻情報に基づいて、予定出力情報を、現在時刻よりも前に終了している予定に関する予定情報を出力するための予定出力情報である過去予定出力情報と、現在時刻よりも後に終了する予定に関する予定情報を出力するための予定出力情報である未来出力予定情報とに判別し、過去予定出力情報と未来予定出力情報とを互いに識別可能な情報、例えば出力される背景色が異なる情報等、に設定して出力するようにしても良い。例えば、このような判別は、各予定情報が指定する予定の終了時刻が、現在時刻情報が示す時刻よりも以前か否かを判定し、以前であれば、その予定情報を出力するための予定出力情報を過去予定出力情報に決定し、以前でなければ、未来予定出力情報に決定することにより実現可能である。また、この場合、現在時刻情報が示す時刻が、各予定情報が指定する予定の開始時刻と終了時刻との間の時刻である場合、この予定情報を出力するための予定出力情報については、過去予定出力情報と未来予定出力情報とのいずれでもない、と判定するようにし、過去予定出力情報と未来予定出力情報とに対して識別可能な通常の予定出力情報として出力するようにしてもよい。このような構成においても、時間軸上で、現在の時刻以降に入っている予定や、すでに予定されている時刻が過ぎている予定を、一目で瞬時に確認することができる。
【０１１５】
例えばこのような構成を実施の形態３において適用すると、図４に示す予定情報管理表から、終了時刻が現在時刻である１４時１２分以前である予定情報は、「ＩＤ」が「００１」と「００２」である予定情報であるので、この予定情報を出力するための予定出力情報が、過去予定出力情報に判定される。また、その他の予定情報を出力するための予定出力情報が未来予定出力情報に判定される。このとき、過去予定出力情報の背景色が灰色に設定され、未来予定出力情報の背景色が緑色に設定されるものとすると、過去予定出力情報や未来予定出力情報は、図２１に示すように出力される。なお、図２１において、領域２１０１及び領域２１０２は、「ＩＤ」が「００１」及び「００２」である予定情報を出力するための過去予定出力情報に対応した領域であり、領域２１０３、領域２１０４、及び領域２１０５は、「ＩＤ」が「００３」、「００４」及び「００５」の予定情報を出力するための未来予定出力情報に対応した領域である。
【０１１６】
また、本実施の形態に係る出力部１６０の構成を、上述した実施の形態１に係る予定出力装置の出力部に適用するようにしても良い。このような構成においても、上記実施の形態３と同様の効果を奏する。
【０１１７】
また、上記各実施の形態において、各処理（各機能）は、単一の装置（システム）によって集中処理されることによって実現されてもよく、あるいは、複数の装置によって分散処理されることによって実現されてもよい。
【０１１８】
また、上記各実施の形態において、一の装置に存在する２以上の通信手段（情報送信部など）は、物理的に一の媒体で実現されても良いことは言うまでもない。
【０１１９】
本発明は、以上の実施の形態に限定されることなく、種々の変更が可能であり、それらも本発明の範囲内に包含されるものであることは言うまでもない。
【産業上の利用可能性】
【０１２０】
以上のように、本発明にかかる予定管理装置等は、予定を管理する予定管理装置等として適しており、特に、年月日よりも細かい時間単位で予定等を管理する予定管理装置等として有用である。
【図面の簡単な説明】
【０１２１】
【図１】実施の形態１における予定管理装置のブロック図
【図２】同予定管理装置の動作について説明するフローチャート
【図３】同概念図
【図４】同予定情報管理表を示す図
【図５】同出力例を示す図
【図６】同予定出力情報管理表を示す図
【図７】同予定出力情報管理表を示す図
【図８】同現在出力情報を示す図
【図９】同出力例を示す図
【図１０】同出力例を示す図
【図１１】同出力例を示す図
【図１２】実施の形態２における予定管理システムのブロック図
【図１３】同サーバ装置の動作について説明するフローチャート
【図１４】同クライアント装置の動作について説明するフローチャート
【図１５】同概念図を示す図
【図１６】実施の形態３における予定管理システムのブロック図
【図１７】同クライアント装置の動作について説明するフローチャート
【図１８】同過去出力情報を示す図
【図１９】同未来出力情報を示す図
【図２０】同出力例を示す図
【図２１】同変形例の出力例を示す図
【符号の説明】
【０１２２】
１１  予定情報格納部
１２  現在時刻情報取得部
１３、１６０  出力部
１４  入力受付部
１５  予定情報変更部
１６  予定指定指示受付部
１７  存在場所出力情報指定受付部
１８  命令出力部
１００  予定管理装置
２００  サーバ装置
２０１  予定情報送信部
２０２  予定関連情報受信部
３０１  予定情報受信部
３０２  予定関連情報送信部
３００、５００  クライアント装置
４００  ネットワーク
【図１】
2007156830.tif 000003
【図２】
2007156830.tif 000004
【図３】
2007156830.tif 000005
【図４】
2007156830.tif 000006
【図５】
2007156830.tif 000007
【図６】
2007156830.tif 000008
【図７】
2007156830.tif 000009
【図８】
2007156830.tif 000010
【図９】
2007156830.tif 000011
【図１０】
2007156830.tif 000012
【図１１】
2007156830.tif 000013
【図１２】
2007156830.tif 000014
【図１３】
2007156830.tif 000015
【図１４】
2007156830.tif 000016
【図１５】
2007156830.tif 000017
【図１６】
2007156830.tif 000018
【図１７】
2007156830.tif 000019
【図１８】
2007156830.tif 000020
【図１９】
2007156830.tif 000021
【図２０】
2007156830.tif 000022
【図２１】
2007156830.tif 000023